(57)【要約】【課題】スピーカーを備える薄型表示装置において、狭額縁を効果的に実現する技術が求められていた。【解決手段】液晶テレビでは、外観部品も兼ねるボトムカバー２０にスピーカーユニット５０を取り付けるためのＳＰ用ボス３０が設けられている。また、バックライトシャーシ１２上（背面側）にスピーカーユニット５０が配置されている。ＳＰ固定部５３の固定穴５４とＳＰ用ボス３０との穴とを一致させるように、スピーカーユニット５０を配置してネジ８１を留めることで、ボトムカバー２０にスピーカーユニット５０が固定される。【選択図】図８
2014167500.tif 000002
【特許請求の範囲】
【請求項１】
表示パネルの下側部分を覆うように配置されるボトムカバーと、
前記ボトムカバーに取り付けられ、前記表示パネルの背面の領域に、出力方向を下向き外側にして配置されたスピーカーと、
を備えることを特徴とする薄型表示装置。
【請求項２】
前記ボトムカバーは、
前記表示パネルの下側に露出する露出部と、
前記表示パネルの背面に配置され、前記スピーカーを取り付けるボスが形成された背面ベース部と、
を備えることを特徴とする請求項１に記載の薄型表示装置。
【請求項３】
前記ボトムカバーの前記ボスは、取付対象のスピーカー１つに対して２つ１セットで前記表示パネルに対して垂直になるように形成されており、
前記スピーカーは、スピーカー本体が長方形状に形成されるとともに、前記スピーカー本体の長手方向の両端部に、かつ短手方向の中心位置になるように前記ボスと固定する固定部が形成されている
ことを特徴とする請求項２に記載の薄型表示装置。
【請求項４】
前記スピーカーを完全に覆うリアキャビネットを備えることを特徴とする請求項１から３までのいずれかに記載の薄型表示装置。
【発明の詳細な説明】
【技術分野】
【０００１】
本発明は、スピーカーを備える薄型表示装置に関する。
【背景技術】
【０００２】
近年の薄型テレビにおいて、狭額縁モデルが主流となりつつあり、特に上級グレードにおいてその傾向が強い。そのため、フロントキャビネットの額縁を広くすることなく機能部品を配置できる構造が求められている。
【０００３】
そのような構造として考慮すべき機能部品の一つが、スピーカー（スピーカーユニット）である。スピーカーの取付構造として各種の技術が提案されている。例えば、低コストが構造でスピーカーの音質を聴感的に向上させる薄型表示装置が提案されている（例えば特許文献１参照）。
【０００４】
具体的には、薄型表示装置では、スタンド上に液晶モジュ−ルが固定され、該液晶モジュ−ルに被せたキャビネット内の下部に一対のスピーカーが下向きに配置されている。さらに、スタンドのスタンドカバーが、広幅平板状基台部と、該基台部上に一体突設された起立部とから構成されている。そして、起立部の前面が後方に向かって所定角度αで上向きに傾斜してスピーカーに対向する反射面とされており、その反射面でスピーカーから発信した音を前方に反射させるようにした。
【先行技術文献】
【特許文献】
【０００５】
【特許文献１】特開２０１０−２２６６４８号公報
【発明の概要】
【発明が解決しようとする課題】
【０００６】
ところで、狭額縁を実現すべく、スピーカーユニット等の取付に起因する額縁寸法の増大を防止する工夫が必要である。また、スピーカーをテレビ背面に配置するために、バックライトシャーシにスピーカー取付用のシャフトを設置することも考えられるが、シャフトを設置してしまうとバックライトシャーシの汎用性が無くなってしまう。そのため、バックライトシャーシの背面にスピーカーを取り付ける工夫が求められていた。
【０００７】
特許文献１に開示の技術では、表示部の下にスピーカーが配置されており、狭額縁を実現する観点からは改善が必要であって別の技術が求められていた。特に、大型の表示装置の場合、取り付けられるスピーカーも大きくなる傾向があり、スピーカーを効果的に配置する技術が求められていた。
【０００８】
本発明は以上のような状況に鑑みなされたものであって、上記課題を解決する技術を提供することを目的とする。
【課題を解決するための手段】
【０００９】
本発明の薄型表示装置は、表示パネルの下側部分を覆うように配置されるボトムカバーと、前記ボトムカバーに取り付けられ、前記表示パネルの背面の領域に、出力方向を下向き外側にして配置されたスピーカーと、を備える。
また、前記ボトムカバーは、前記表示パネルの下側に露出する露出部と、前記表示パネルの背面に配置され、前記スピーカーを取り付けるボスが形成された背面配置部と、を備えてもよい。
また、前記ボトムカバーの前記ボスは、取付対象のスピーカー１つに対して２つ１セットで前記表示パネルに対して垂直になるように形成されており、前記スピーカーは、スピーカー本体が長方形状に形成されるとともに、前記スピーカー本体の長手方向の両端部に、かつ短手方向の中心位置になるように前記ボスと固定する固定部が形成されている
てもよい。
また、前記スピーカーを完全に覆うリアキャビネットを備えてもよい。
【発明の効果】
【００１０】
本発明によれば、スピーカーを備える薄型表示装置において狭額縁を実現する技術を提供できる。
【図面の簡単な説明】
【００１１】
【図１】本発明の実施形態に係る、液晶テレビの背面の斜視図である。
【図２】本発明の実施形態に係る、液晶テレビの背面図である。
【図３】本発明の実施形態に係る、液晶テレビの側面断面図である。
【図４】本発明の実施形態に係る、液晶テレビのバックライトシャーシの一部拡大斜視図である。
【図５】本発明の実施形態に係る、ボトムカバーの斜視図である。
【図６】本発明の実施形態に係る、ボトムカバーの一部拡大図である。
【図７】本発明の実施形態に係る、スピーカーユニットを示す図である。
【図８】本発明の実施形態に係る、ボトムカバーの取付構造であって、図１の領域Ａ１を拡大して示す図である。
【図９】本発明の実施形態に係る、スピーカーユニットの取付構造であって、図３の領域Ｂ１を拡大して模式的に示す図である。
【発明を実施するための形態】
【００１２】
本発明を実施するための形態（以下、単に「実施形態」という）を、図面を参照して具体的に説明する。なお、本実施形態では表示装置として液晶テレビ１０について例示するが、他にも有機ＥＬテレビ等の薄型表示装置に適用することができる。
【００１３】
図１は、本実施形態に係る液晶テレビ１０の背面の斜視図であり、図２は液晶テレビ１０の背面図であり、図３は側面断面図である。なお、図１及び図２では、リアカバー１９を外して内部構造が認識可能に示している。図示のように、液晶テレビ１０の背面は、リアカバー１９を取り外した状態で、バックライトシャーシ１２が露出しており、また、２本の補強アングル１３が上下方向に配置されている。
【００１４】
この液晶テレビ１０では、外観部品も兼ねるボトムカバー２０にスピーカーユニット５０を取り付けるためのＳＰ用ボス３０が設けられている。また、バックライトシャーシ１２上（背面側）にスピーカーユニット５０が配置されている。このような構成を採用することで、液晶テレビ１０の狭額縁化を実現する。
【００１５】
図４は、バックライトシャーシ１２の背面で視右下部分の領域（図１の領域Ａ１や図２の領域Ｂ１に対応する領域）を示している。バックライトシャーシ１２は、表示パネル１１の外枠構造としてアルミフレーム１４を備えている。そして、アルミフレーム１４の下側の領域には、背面側からボトムカバー２０を取り付けるためのボトムカバー取付開口部７０が設けられている。
【００１６】
ボトムカバー取付開口部７０は、左右方向が長手方向となる長方形形状を呈しており、アルミフレーム１４の左右それぞれに２つ並んで合計４つ形成されている。ボトムカバー取付開口部７０には後述するボトムカバー２０のカバーリブ４０が挿入される。つまり、ボトムカバー取付開口部７０の形状は、カバーリブ４０の形状にあわせた形状に設定されている。
【００１７】
図５はボトムカバー２０の斜視図であり、図５（ａ）は背面側から見た斜視図であって、図５（ｂ）は正面側（表示パネル１１側）から見た斜視図である。また、図６は図５（ａ）の領域Ｄ１に対応する部分を示した図であり、図６（ａ）は平面図（上面図）であり、図６（ｂ）は背面図から見た図であり、図６（ｃ）は側面図である。
【００１８】
ボトムカバー２０は、表示パネル１１の下側部分に取り付けられる左右に延びる樹脂成形部品であって、正面視で表示パネル１１の下側から一部露出する装飾露出部２１と、装飾露出部２１の表示パネル１１の背面に隠れるボトムベース部２２とを備えて一体構成されている。
【００１９】
ボトムベース部２２は、装飾露出部２１の上側に形成され、さらに、ボトムベース部２２の上側の所定の２カ所の位置に、回路基板２７等を固定するための基板取り付け部２６が設けられている。基板取付部２６は、背面側に一段低く形成されており、図１や図２に示すように、バックライトシャーシ１２に取り付けられた状態で、放熱板１８の位置になるように形成されている。
【００２０】
さらに、ボトムベース部２２にはスピーカーユニット５０を取り付ける為のＳＰ用ボス３０が設けられている。ＳＰ用ボス３０は、２つ１セットであって、左右の２領域にそれぞれ１セットずつ設けられ、後述するスピーカーユニット５０のＳＰ固定部５３とネジ固定される。より具体的には、例えば、図６の背面視右側領域に示すように、１セットのＳＰ用ボス３０は、ほぼ基板取付部２６が形成される位置より左右方向で若干外側に位置して、かつ、ボトムベース部２２から背面方向垂直に所定長で形成されている。
【００２１】
また、装飾露出部２１とボトムベース部２２との境界部分には、ボトムカバー２０をバックライトシャーシ１２（アルミフレーム１４）に取り付ける為の前面側に延出するカバーリブ４０が複数形成されており、上述したようにボトムカバー取付開口部７０に挿入嵌合される。
【００２２】
また、装飾露出部２１の左右中央部分には下側に若干膨らんだ膨出部２８が形成されている。膨出部２８にはリモコン受光部等が取り付けられる。装飾露出部２１において、膨出部２８以外の左右の領域は、上下方向の幅は実質無いに等しく、その背面には部品等を取り付ける空間はない。なお、装飾露出部２１の背面側には後述の図９（ａ）で示すように、装飾露出部２１の背面側を覆うリアボトムカバー１６が取り付けられる。
【００２３】
図７はスピーカーユニット５０を示す図であって、図７（ａ）は斜視図、図７（ｂ）は正面図、図７（ｃ）が底面図、図７（ｄ）が背面図、図７（ｅ）が側面図である。
【００２４】
図示のように、スピーカーユニット５０は、設置状態で前後左右になる方向において対称に形成されている。具体的には、スピーカーユニット５０は、略長方形の外形のスピーカー本体５１と、スピーカー本体５１の出力方向と反対の側（図９（ｂ）では上側）に設けられた磁気回路５２と、スピーカー本体５１の長手方向左右の端部それぞれに設けられたＳＰ固定部５３とを備える。
【００２５】
ＳＰ固定部５３は、スピーカー本体５１の外形部分の金属板が、スピーカー本体５１の出力面（出力前端面）から、略Ｕ字状に一旦磁気回路５２側に折れ曲がった屈曲面５３ａと、さらに左右外側方向に折れ曲がった固定面５３ｂとを備える。一方の屈曲面５３ａには、端子５９が設けられている。ＳＰ固定部５３の固定面５３ｂには中央に固定穴５４が形成されている。また、固定面５３ｂの両面には、固定穴５４より若干内径が大きいリング状の緩衝材５５が配置されている。
【００２６】
そして、例えば図８に示すボトムカバー２０とバックライトシャーシ１２との取付状態の図のように、固定穴５４とＳＰ用ボス３０との穴とを一致させるように、スピーカーユニット５０を配置してネジ８１を留めることで、ボトムカバー２０にスピーカーユニット５０が固定される。
【００２７】
図９（ａ）にスピーカーユニット５０を取り付けた状態に着目した液晶テレビ１０の側面断面図（図３の領域Ｃ１の拡大図）を示し、図９（ｂ）にスピーカーユニット５０の取付態様を模式的に示す。
【００２８】
図示のように、ボトムカバー２０において、スピーカーユニット５０を固定するボトムベース部２２が表示部１１（バックライトシャーシ１２）の背面になるように配置されている。さらに、リアカバー１９（リアキャビネット）は、スピーカーユニット５０が配置された領域で後ろ方向に膨らんで、スピーカー本体５１（発音部）の先まで、つまり、スピーカーユニット５０を完全に覆うように設けられている。さらに、リアカバー１９において、スピーカー本体５１の出力前方側の領域に音声出力用開口１９ａが形成されている。
【００２９】
さらに、スピーカー５０をボトムベース部２２のＳＰ用ボス３０に取り付けるＳＰ固定部５３の固定穴５４は、スピーカー本体５１の略センター（図９（ｂ）の前後センター位置Ｌ１参照）となっている。このような構成とすることで、設置時において、スピーカーユニット５０の重さによる傾きが発生しないようになっている。
【００３０】
以上、本実施形態によると、狭額縁の液晶テレビ１０において、スピーカーユニット５０を効果的に配置することができる。また、リアカバー１９スピーカーユニット５０で膨らませることで、スピーカーユニット５０の領域以外の場所の厚さを抑えることができる。また、スピーカーユニット５０を擬似的な密閉部とすることになるので、音質を向上させることができる。また、スピーカー本体５１の出力前方に特に反射板等を配置しないので、狭額化に貢献することができる。
【００３１】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００３２】
１０  液晶テレビ
１１  表示パネル
１２  バックライトシャーシ
１４  アルミフレーム
１９  リアカバー（リアキャビネット）
２０  ボトムカバー
２１  装飾露出部
２２  ボトムベース部
３０  ＳＰ用ボス
５０  スピーカーユニット
５１  スピーカー本体
５３  ＳＰ固定部
５４  固定穴
【図１】
2014167500.tif 000003
【図２】
2014167500.tif 000004
【図３】
2014167500.tif 000005
【図４】
2014167500.tif 000006
【図５】
2014167500.tif 000007
【図６】
2014167500.tif 000008
【図７】
2014167500.tif 000009
【図８】
2014167500.tif 000010
【図９】
2014167500.tif 000011
【手続補正書】
【提出日】平成26年2月28日(2014.2.28)
【手続補正１】
【補正対象書類名】特許請求の範囲
【補正対象項目名】全文
【補正方法】変更
【補正の内容】
【特許請求の範囲】
【請求項１】
表示パネルの下側部分を覆うように配置されるボトムカバーと、
前記ボトムカバーに取り付けられ、前記表示パネルの背面の領域に、出力方向を下向き外側にして配置されたスピーカーと、
を備えることを特徴とする薄型表示装置。
【請求項２】
前記ボトムカバーは、
前記表示パネルの背面に配置され、前記スピーカーを取り付けるボスが形成された背面ベース部を備えることを特徴とする請求項１に記載の薄型表示装置。
【請求項３】
前記ボトムカバーの前記ボスは、取付対象のスピーカー１つに対して２つ１セットで前記表示パネルに対して垂直になるように形成されており、
前記スピーカーは、スピーカー本体が長手方向及び短手方向を有する形状に形成されるとともに、前記スピーカー本体の前記長手方向の両端部に、かつ前記短手方向の中心位置になるように前記ボスと固定する固定部が形成されている
ことを特徴とする請求項２に記載の薄型表示装置。
【請求項４】
前記固定部は、前記スピーカーの重心より高い位置であることを特徴とする請求項３に記載の薄型表示装置。
【請求項５】
前記スピーカーを覆うリアキャビネットを備えることを特徴とする請求項１に記載の薄型表示装置。
【請求項６】
前記リアキャビネットは、前記スピーカーの出力のための開口を備えることを特徴とする請求項５に記載の薄型表示装置。
【手続補正２】
【補正対象書類名】明細書
【補正対象項目名】０００９
【補正方法】変更
【補正の内容】
【０００９】
本発明の薄型表示装置は、表示パネルの下側部分を覆うように配置されるボトムカバーと、前記ボトムカバーに取り付けられ、前記表示パネルの背面の領域に、出力方向を下向き外側にして配置されたスピーカーと、を備える。
また、前記ボトムカバーは、前記表示パネルの背面に配置され、前記スピーカーを取り付けるボスが形成された背面配置部を備えてもよい。
また、前記ボトムカバーの前記ボスは、取付対象のスピーカー一つに対して二つ前記表示パネルに対して垂直になるように形成されており、前記スピーカーは、スピーカー本体が長手方向及び短手方向を有する形状に形成されるとともに、前記スピーカー本体の前記長手方向の両端部に、かつ前記短手方向の中心位置になるように前記ボスと固定する固定部が形成されてもよい。
また、前記固定部は、前記スピーカーの重心より高い位置であってもよい。
また、前記スピーカーを覆うリアキャビネットを備えてもよい。
また、前記リアキャビネットは、前記スピーカーの出力のための開口を備えてもよい。